(57)【要約】【課題】防水性および透湿性に優れ、乾燥剤の機能を発揮させ得るとともに、強度の大きな乾燥剤用包装材を得る。【解決手段】乾燥剤用包装材１は、ナイロンフィルム２の背面に、生分解性プラスチックラミネート層３を介して、オレフィン系芯鞘繊維とレーヨン繊維とが混抄された不織布４が一体的に積層されるとともに、前記不織布４の背面に、多数の通気孔５ａを有するポリエチレンラミネート層５が一体的に積層されている。【選択図】図１
2014205513.tif 000002
【特許請求の範囲】
【請求項１】
ナイロンフィルムの背面に、生分解性プラスチックラミネート層を介して、オレフィン系芯鞘繊維とレーヨン繊維とが混抄された不織布が一体的に積層されるとともに、前記不織布の背面に、多数の通気孔を有するポリエチレンラミネート層が一体的に積層されていることを特徴とする乾燥剤用包装材。
【請求項２】
請求項１の乾燥剤用包装材であって、
前記ポリエチレンラミネート層が対向するように重ね合わされた１対の乾燥剤用包装材の周縁部、または折り重ねられた乾燥剤用包装材の周縁部が熱溶着されることにより、袋状に形成されていることを特徴とする乾燥剤用包装材。
【請求項３】
請求項１または請求項２の乾燥剤用包装材であって、
前記ポリエチレンラミネート層の通気孔は、前記不織布にポリエチレンラミネート層を積層した後に、ポリエチレンラミネート層の背面に加熱エンボスロール、またはブラシロールを転接させることによって形成されたことを特徴とする乾燥剤用包装材。
【請求項４】
請求項１または請求項２の乾燥剤用包装材であって、
前記ポリエチレンラミネート層は、前記通気孔が形成された後に、前記不織布に積層されたことを特徴とする乾燥剤用包装材。
【発明の詳細な説明】
【技術分野】
【０００１】
本発明は、乾燥剤を収容する包装袋として好適に使用される乾燥剤用包装材に関するものである。
【背景技術】
【０００２】
一般に、菓子や海苔などの湿気を嫌う食品が収容された収容袋内には、例えば生石灰等の乾燥剤が包装袋に収容された乾燥剤包装体が、食品とともに収容されるようになっており、収容袋内に収容された食品を乾燥した状態に保持している。これによって、乾燥していることで食感を味わえる食品や品質を保持できる食品などの保存や流通を容易にすることができる。
【０００３】
これらの乾燥剤の包装袋に使用される包装材は、例えば、通気性を有する紙や不織布からなるシート基材の背面に、ポリエチレン、またはエチレン−酢酸ビニル共重合体（ＥＶＡ）などのプラスチックラミネート層が積層され、このプラスチックラミネート層の背面に、通気性を有するプラスチック製補強材層、例えば、網目構造を有するポリエチレン製ワリフシートやポリエチレン製クロスシートが積層され、さらに、プラスチック製補強材層の背面に、ポリエチレン、またはＥＶＡなどのプラスチックラミネート層が順に積層されて構成されている。そして、包装材を構成するシート基材の表面には、文字などの印刷層が形成され、また、各プラスチックラミネート層には、多数の通気孔がそれぞれ形成されている（例えば、特許文献１参照）。
【０００４】
このような包装材を用いた乾燥剤包装体は、次のようにして作製される。すなわち、方形状の一対の包装材を、各包装材のプラスチックラミネート層同士が対向するように重ね合わせ、その周縁部の三方を熱溶着して一方の周縁部が開口された袋状に形成し、または１枚の方形状の包装材をプラスチックラミネート層同士が対向するように折り重ね、その周縁部の二方を熱溶着して一方の周縁部が開口された袋状に形成し、その内部に乾燥剤を収容して、開口した周縁部を熱溶着することによって、包装袋に乾燥剤が収容された乾燥剤包装体が作製される。
【先行技術文献】
【特許文献】
【０００５】
【特許文献１】特開２０００−１０９１２２号公報
【発明の概要】
【発明が解決しようとする課題】
【０００６】
しかしながら、包装袋の最外層に積層されたシート基材としての紙や不織布は、乾燥剤である生石灰の尖ったものが突き刺さると破れ易く、シート基材が破れた場合、収容袋内に収容された菓子などの食品に乾燥剤が混入することになり、好ましくない。
【０００７】
また、誤って乾燥剤包装体が水分の存在する場所に投棄された場合、水分が、紙や不織布からなるシート基材、通気孔が形成されたプラスチックラミネート層、通気性を有するプラスチック製補強材層、および通気孔が形成されたプラスチックラミネート層を通して乾燥剤である生石灰に供給され、生石灰が発熱するという欠点があった。
【０００８】
本発明は、このような問題点に鑑みてなされたものであり、防水性および透湿性に優れ、乾燥剤の機能を発揮させ得るとともに、強度の大きな乾燥剤用包装材を提供するものである。
【課題を解決するための手段】
【０００９】
第１の発明は、乾燥剤用包装材であって、
ナイロンフィルムの背面に、生分解性プラスチックラミネート層を介して、オレフィン系芯鞘繊維とレーヨン繊維とが混抄された不織布が一体的に積層されるとともに、前記不織布の背面に、多数の通気孔を有するポリエチレンラミネート層が一体的に積層されていることを特徴とする。
【００１０】
第２の発明は、
第１の発明の乾燥剤用包装材であって、
前記ポリエチレンラミネート層が対向するように重ね合わされた１対の乾燥剤用包装材の周縁部、または折り重ねられた乾燥剤用包装材の周縁部が熱溶着されることにより、袋状に形成されていることを特徴とする。
【００１１】
第３の発明は、
第１または第２の発明の乾燥剤用包装材であって、
前記ポリエチレンラミネート層の通気孔は、前記不織布にポリエチレンラミネート層を積層した後に、ポリエチレンラミネート層の背面に加熱エンボスロール、またはブラシロールを転接させることによって形成されたことを特徴とする。
【００１２】
第４の発明は、
第１また第２の発明の乾燥剤用包装材であって、
前記ポリエチレンラミネート層は、前記通気孔が形成された後に、前記不織布に積層されたことを特徴とする。
【００１３】
上記のように、ナイロンフィルムの背面に、生分解性プラスチックラミネート層を介して、不織布が一体的に積層されていることにより、上記生分解性プラスチックラミネート層に孔開け加工を必要とすることなく、良好な透湿性を得ることができる。さらに、上記不織布として、オレフィン系芯鞘繊維とレーヨン繊維とが混抄された不織布が用いられることによって、ヒートシールされた乾燥剤用包装材の周縁部で、不織布の断面（端面）からの吸湿効果を得ることができる。
【００１４】
すなわち、本願発明者は、生分解性プラスチックラミネート層が、文字通りの生分解性を有することに加えて、透湿性が高いことから、この性質を利用すれば、孔開け加工を必要とすることなく、乾燥剤用包装材として用い得る可能性に想到し、さらに、上記のような不織布と組み合わせることにより、十分な透湿性を得られることを見出し、本願発明を完成した。
【発明の効果】
【００１５】
本発明によれば、防水性および透湿性に優れ、乾燥剤の機能を発揮させ得るとともに、強度の大きな乾燥剤用包装材を得ることができる。
【図面の簡単な説明】
【００１６】
【図１】本発明の一実施形態の乾燥剤用包装材の積層構造を模式的に示す断面図である。
【図２】本発明の一実施形態の乾燥剤用包装材の周縁部が溶着された状態を模式的に示す断面図である。
【図３】包装材の透湿性の例を示すグラフである。
【発明を実施するための形態】
【００１７】
以下、本発明の一実施形態を図面に基づいて説明する。
【００１８】
（乾燥剤用包装材１の積層構造等）
図１は、乾燥剤用包装材１の積層構造を模式的に示す断面図である。
【００１９】
この乾燥剤用包装材１は、乾燥剤の包装袋として使用されるように全体に透湿性を有しており、透明または半透明なシート基材としてのナイロンフィルム２と、ナイロンフィルム２の背面に生分解性プラスチックラミネート層３を介して積層された補強材としての不織布４と、不織布４の背面に積層され、多数の通気孔５ａが形成されたポリエチレンラミネート層５とから構成されている。
【００２０】
乾燥剤包装体は、上記のように形成された乾燥剤用包装材１を用いて、次のように作製される。すなわち、方形状の一対の乾燥剤用包装材１が、ポリエチレンラミネート層５同士が対向するように重ね合わされ、または１枚の方形状の乾燥剤用包装材１が、ポリエチレンラミネート層５同士が対向するように折り重ねられ、図２に示すように、その周縁部１ａが熱溶着されることによって袋状に形成され、その内部に乾燥剤としての生石灰等の乾燥剤２１が封入される。
【００２１】
（乾燥剤用包装材１を構成する各部材について）
（ナイロンフィルム２）
上記のような乾燥剤用包装材１を構成するナイロンフィルム２は、例えば二軸延伸ナイロンフィルムであって、東洋紡（株）やユニチカ（株）などより市販されている。このようなナイロンフィルム２は、耐ピンホール性、耐衝撃性などに優れている。すなわち、破れにくい他、柔軟性があり、乾燥剤である生石灰に硬く尖ったものが含まれている場合でも、それが突き刺さってピンホールができたり破れたりしにくく、また、水が浸透しない性質を有している。一方、透湿性に関しては、例えばＪＩＳＺ−０２０８に準拠して測定されたナイロンフィルム（厚み１５μｍ）の透湿度は、１８０ｇ／ｍ２・２４ｈｒ（４０℃・９０％ＲＨ）である。
【００２２】
なお、ナイロンフィルム２の表面に、例えば多数の薄肉部(凹部)を形成して、より透湿性を高くし得るようにしてもよい。そのような薄肉部は、例えば図示しない対向する熱凸ロールと加圧ロールとの間にナイロンフィルム２を通過させることによって形成することができる。
【００２３】
（生分解性プラスチックラミネート層３）
生分解性プラスチックラミネート層３は、ナイロンフィルム２と不織布４とを貼り合わせるために用いられる。ここで、一般的には基材と基材の貼り合わせにはＬＤＰＥ（ポリエチレン）ラミネートすることが多いが、ポリエチレンフィルムは透湿性が低いため、孔開け加工が必要となる。これに対し、本願発明者は、生分解性プラスチックラミネート層３は、文字通りの生分解性を有することに加えて、透湿性が高いことから、この性質を利用することによって、孔開け加工を必要とすることなく、乾燥剤用包装材１として用い得ることに想到した。
【００２４】
図３に、生分解性プラスチックフィルムとポリエチレンフィルムとの透湿性の違いを確認した実験結果を示す。この実験例では、以下の生分解性プラスチックフィルム、および比較のためのポリエチレンフィルム（何れも厚さ２０μｍ）を用いた。
【００２５】
実験例ア：ユニチカ（株）製のテラマック
実験例イ：昭和電工（株）製のビオノーレ（登録商標）
実験例ウ：ポリエチレンフィルム
これらのフィルムを耐油紙（３８ｇ／平方メートル）に積層して包装材とし、７０×１００ｍｍの袋を１０個作製して、中に２０ｇの生石灰を封入し、３０日間の重量変化を計測した。
【００２６】
図３に示すように、ポリエチレンフィルムを用いた実験例ウでは重量はほとんど変化しないのに対し、生分解性プラスチックフィルムを用いた実験例ア，イでは、ほとんど同様に吸湿によって重量が増加した。
【００２７】
上記生分解性プラスチックラミネート層３の厚さは、厚いほど、透湿性は低くなるが強度は高くなる一方、薄いほど、強度は弱くなるが高い透湿性が得られる。それゆえ、例えば、１５μｍ以上２５μｍ程度の厚さを有していることが好ましい。また、生分解性プラスチックラミネート層３の強度は、通気孔が形成されないことによって高めることもできる。
【００２８】
（不織布４）
不織布４は、例えばオレフィン系芯鞘繊維とレーヨン繊維を混合率７５±１０％：２５±％で混抄したものである。上記芯鞘繊維としては、例えば芯がポリエステル、鞘がポリエチレンの二重構造を有するユニチカ（株）のエルベス（登録商標）などを用いることができる。
【００２９】
このような不織布４は、ナイロンフィルム２の補強材としての機能を有するとともに、透湿性を高める機能を有している。すなわち、一般にナイロンフィルムは引張り、破裂などには強いものの引裂きに弱いが、上記のような不織布４が用いられることによって、その絡みの強度で引裂かれにくくすることができる。
【００３０】
また、一般にオレフィン系繊維は熱溶融により透湿性が低くなりがちであるが、熱で溶融しにくいレーヨン繊維が混抄されることによって、透湿性が確保される。それゆえ、ヒートシールされた乾燥剤用包装材１の周縁部１ａで、不織布４の断面（端面）からの吸湿効果を得ることができる。よって、例えば乾燥剤用包装材１の最表面に紙等を用いる場合に比べてナイロンフィルム２を用いることによる吸湿性の低下を補うことができる。
【００３１】
さらに、一般にオレフィン系不織布は熱収縮しやすいのに対して、熱収縮しにくいレーヨン繊維が混合されていることによって、乾燥剤充填時のヒートシールによる袋の寸法安定性を高くすることができる。
【００３２】
（ポリエチレンラミネート層５）
ポリエチレンラミネート層５は、乾燥剤用包装材１を袋状に形成するために、ポリエチレンラミネート層５同士が対向するように重ねられた乾燥剤用包装材１の周縁部１ａをヒートシールするために使用される。このポリエチレンラミネート層５には、例えば、図示しない対向する加熱エンボスロールまたはブラシロールと、加圧ロールとの間に、ポリエチレンラミネート層５を通過させ、ポリエチレンラミネート層５の背面に加熱エンボスロール、またはブラシロールを転接させることによって、多数の通気孔５ａが形成されている。これによって、ナイロンフィルム２の表面、および不織布４の断面を通過した湿気が、通気孔５ａを通して乾燥剤に導かれるようになっている。
【００３３】
なお、上記のような通気孔５ａは、ポリエチレンラミネート層５が不織布４に積層された後に形成されてもよいが、予め通気孔５ａの形成されたポリエチレンラミネート層５が不織布４に積層されるようにしてもよい。すなわち、生分解性プラスチックラミネート層３は、上記のように比較的高い透湿性を有しているので、必ずしも通気孔を形成する必要がなく、それゆえ、予めポリエチレンラミネート層５だけに通気孔５ａを形成した後に不織布４に積層してもよい。また、ポリエチレンラミネート層５が不織布４に積層された後に孔開け加工する場合でも、生分解性プラスチックラミネート層３にまで至る孔開けをしなくてもよい。
【００３４】
（乾燥剤用包装材１の透湿作用）
上記のように、ナイロンフィルム２、生分解性プラスチックラミネート層３、不織布４、およびポリエチレンラミネート層５が順に積層されて形成された乾燥剤用包装材１では、ナイロンフィルム２、生分解性プラスチックラミネート層３、不織布４、およびポリエチレンラミネート層５に形成された多数の通気孔５ａを通して水蒸気が透過するとともに、不織布４の断面から不織布４の内部、およびポリエチレンラミネート層５に形成された通気孔５ａを通して水蒸気が透過する。それゆえ、十分な透湿性を確保することが容易にでき、菓子等が収容されている収容袋内の湿気を乾燥剤に導いて、菓子等を乾燥状態に保持することができる。
【００３５】
また、ナイロンフィルム２は、シート基材として紙を採用した場合などに比較して十分な強度を有しているため、尖った乾燥剤が突き刺さって破れたりすることがなく、乾燥剤が食品と混合することを確実に防止することができるとともに、容易に裂けにくいため誤って開封されることも防止できる。さらに、ナイロンフィルム２には、通気孔が形成されていないため、誤って水分が存在する場所に乾燥剤包装体が投棄されたとしても、乾燥剤である生石灰に水が接触することはなく、生石灰の発熱を確実に防止することができる。さらにまた、ナイロンフィルムは、一般に、切れ目を有するとその切れ目に沿って簡単に裂け易いことがあるが、上記のような乾燥剤用包装材１では、ナイロンフィルム２が不織布４によって補強されているため、容易に裂けることもない。
【００３６】
（乾燥剤用包装材１の加工）
上記のような乾燥剤用包装材１は、例えば適宜の大きさに切断されて加工メーカーに供給された後、各加工メーカーにおいて、乾燥剤用包装材１のポリエチレンラミネート層５同士が対向するように重ね合わせ、その周縁部の三方を熱溶着して一方の周縁部が開口された袋状に形成し、または方形状の乾燥剤用包装材１をポリエチレンラミネート層５同士が対向するように折り重ね、その周縁部の二方を熱溶着して一方の周縁部が開口された袋状に形成し、その内部に乾燥剤を収容して、開口した周縁部を熱溶着すれば、包装袋に乾燥剤が収容された乾燥剤包装体が作製される。
【産業上の利用可能性】
【００３７】
以上説明したように、本発明は、乾燥剤を収容する包装袋として好適に使用される乾燥剤用包装材について有用である。
【符号の説明】
【００３８】
１      乾燥剤用包装材
１ａ    周縁部
２      ナイロンフィルム
３      生分解性プラスチックラミネート層
４      不織布
５      ポリエチレンラミネート層
５ａ    通気孔
２１      乾燥剤
【図１】
2014205513.tif 000003
【図２】
2014205513.tif 000004
【図３】
2014205513.tif 000005